(57)【要約】【課題】センサ回路と表示回路とを備えた表示装置の表示品位の劣化を低減する。【解決手段】画素回路と容量結合の強弱を読み取るセンサ回路１２とを有する表示装置１であって、前記画素回路用及びセンサ回路用の複数の走査線と、前記画素回路用及びセンサ回路用の、一部が共用される複数の信号線ＳＬと、表示動作期間において、前記画素回路用の複数の走査線及び信号線を駆動して行単位で表示信号を前記画素回路に書き込む表示ドライバ（ＹＤ、ＸＤ）と、センサ動作期間において、前記センサ回路用の複数の走査線及び信号線を駆動して、前記センサ回路から行単位で前記容量結合の強弱を表す信号を読み取るセンサドライバ（ＹＤ、ＸＤ）と、前記表示動作期間と前記センサ動作期間とを交互に繰り返すとともに、センサ動作期間後で表示動作期間前の予備書込期間において、表示に使用する範囲内の電圧を前記信号線に書き込むように前記表示ドライバとセンサドライバとを駆動する制御部ＣＯＮＴとを備えた。【選択図】図１
2013130729.tif 000002
【特許請求の範囲】
【請求項１】
マトリクス状に配置された画素回路と、
前記複数の画素回路の間の領域に配置されて容量結合の強弱を読み取る複数のセンサ回路と、
前記複数の画素回路が配列した行方向に沿って延線された、前記画素回路用及びセンサ回路用の複数の走査線と、
前記複数の画素回路が配列した列方向に沿って延線された、前記画素回路用及びセンサ回路用の、一部が共用される複数の信号線と、
表示動作期間において、前記画素回路用の複数の走査線及び信号線を駆動して行単位で表示信号を前記画素回路に書き込む表示ドライバと、
センサ動作期間において、前記センサ回路用の複数の走査線及び信号線を駆動して、前記センサ回路から行単位で前記容量結合の強弱を表す信号を読み取るセンサドライバと、
前記表示動作期間と前記センサ動作期間とを交互に繰り返すとともに、センサ動作期間後で表示動作期間前の予備書込期間において、表示に使用する範囲内の電圧を前記信号線に書き込むように前記表示ドライバとセンサドライバとを駆動する制御部と
を備えたことを特徴とする表示装置。
【請求項２】
前記制御部が前記信号線に書き込む、表示に使用する範囲内の電圧は、前回の表示動作期間における最終行の画素回路に書き込んだ電圧であることを特徴とする請求項１に記載の表示装置。
【請求項３】
前記制御部が前記信号線に書き込む、表示に使用する範囲内の電圧は、今回の表示動作期間における最初の行の画素回路に書き込む予定の電圧であることを特徴とする請求項１に記載の表示装置。
【請求項４】
前記制御部が前記信号線に書き込む、表示に使用する範囲内の電圧は、過去の表示動作期間において画素回路に書き込んだ電圧であることを特徴とする請求項１に記載の表示装置。
【請求項５】
前記予備書込期間において前記信号線に電圧を書き込む時間は、前記表示動作期間において画素回路に電圧を書込む時間よりも短いことを特徴とする請求項１乃至４の内のいずれか１項に記載の表示装置。
【発明の詳細な説明】
【技術分野】
【０００１】
本発明の実施形態は、表示装置に関する。
【背景技術】
【０００２】
ユーザインタフェースの形としてタッチパネル機能を具備した表示装置を搭載した携帯電話や携帯情報端末、パーソナルコンピュータなどの電子機器が開発されている。このようなタッチパネル機能を具備した電子機器では、液晶表示装置や有機ＥＬ表示装置などの表示装置に、別途タッチパネル基板を貼り合わせることでタッチパネル機能を付加することが検討されている。
【０００３】
また、近年、ＣＶＤ（Chemical Vapor Deposition）法等によりガラス基板等の透明な絶縁基板上にさまざまな材料で薄膜を形成し、切削や研削等の作業を繰り返し行うことにより、走査線や信号線からなる表示素子や、光センサ素子等を形成して、画像読み取り装置を製造する技術が研究されている。
【０００４】
また、画像読み取り装置の読み取り方式として、光センサ素子等に替えて導電性の電極を配置し、この電極と指等との間の容量変化によりパネル表面の指等の情報を検知するいわゆる静電容量方式により接触位置を検出する技術が研究されている。
【先行技術文献】
【特許文献】
【０００５】
【特許文献１】特開２００４−９３８９４号公報
【発明の概要】
【発明が解決しようとする課題】
【０００６】
そして静電容量方式を用いた表示装置では、液晶などの表示パネル中にセンサ機能を組み込む、いわゆるインセル技術が盛んに開発されている。ところで、表示装置を構成する基板上に接触位置を検出するためのセンサ回路を内蔵することによりタッチパネル機能を実現すると、表示機能とセンサ機能とが回路の一部を共有することに伴う、表示品位の劣化が発生することがある。
【０００７】
例えば、センサ回路と表示回路とを備えた入力機能付き表示装置では、縦方向に設置される信号線の一部をセンサ回路と表示回路とで共用し、センサの読取動作と表示動作とが時分割で動作する。そのため、センサの読取動作後で、表示動作が開始される直前の信号線にはセンサの読取動作のための信号が書き込まれている。これは通常の表示動作を繰り返している場合の信号線の状態とは異なるため、センサ動作直後の表示が影響を受け、表示品位が劣化する。
【０００８】
本発明は、上記事情を鑑みてなされたものであって、センサ回路と表示回路とを備えた入力機能付き表示装置の表示品位の劣化を低減することのできる表示装置を提供することを目的とする。
【課題を解決するための手段】
【０００９】
本発明の一態様による表示装置は、マトリクス状に配置された画素回路と、前記複数の画素回路の間の領域に配置されて容量結合の強弱を読み取る複数のセンサ回路と、前記複数の画素回路が配列した行方向に沿って延線された、前記画素回路用及びセンサ回路用の複数の走査線と、前記複数の画素回路が配列した列方向に沿って延線された、前記画素回路用及びセンサ回路用の、一部が共用される複数の信号線と、表示動作期間において、前記画素回路用の複数の走査線及び信号線を駆動して行単位で表示信号を前記画素回路に書き込む表示ドライバと、センサ動作期間において、前記センサ回路用の複数の走査線及び信号線を駆動して、前記センサ回路から行単位で前記容量結合の強弱を表す信号を読み取るセンサドライバと、前記表示動作期間と前記センサ動作期間とを交互に繰り返すとともに、センサ動作期間後で表示動作期間前の予備書込期間において、表示に使用する範囲内の電圧を前記信号線に書き込むように前記表示ドライバとセンサドライバとを駆動する制御部とを備えた。
【図面の簡単な説明】
【００１０】
【図１】本実施の形態の表示装置の構成を示す概略の平面図。
【図２】本実施の形態の表示装置の一断面を示す図。
【図３】本実施の形態におけるセンサ回路の等価回路を示す図。
【図４】本実施形態に係る表示装置の駆動方法の一例を説明するためのタイミングチャート。
【図５】本実施の形態の表示装置における従来の表示動作とセンサ動作との時分割駆動方法を示す図。
【図６】本実施の形態の表示装置における従来の表示動作時とセンサ動作時の信号線の電圧を示す図。
【図７】本実施の形態の表示装置における表示動作とセンサ動作との時分割駆動方法を示す図。
【図８】本実施の形態の表示装置における表示動作時とセンサ動作時の信号線の電圧を示す図。
【図９】本実施の形態のバリエーションの表示装置における表示動作とセンサ動作との時分割駆動方法を示す図。
【図１０】本実施の形態のバリエーションの表示装置における表示動作時とセンサ動作時の信号線の電圧を示す図。
【図１１】本実施の形態のバリエーションの表示装置における表示動作とセンサ動作との時分割駆動方法を示す図。
【発明を実施するための形態】
【００１１】
以下、本発明の一実施形態に係る表示装置および表示装置の駆動方法について、図面を参照して説明する。
【００１２】
図１は、本実施の形態の表示装置の構成を示す概略の平面図である。  
本実施形態に係る表示装置１は、液晶表示パネルＰＮＬ、及び回路基板６０を備えている。液晶表示パネルＰＮＬの端部には、フレキシブル基板ＦＣ１、ＦＣ２の一端が電気的に接続されている。フレキシブル基板ＦＣ１、ＦＣ２の他端には回路基板６０が電気的に接続されている。
【００１３】
液晶表示パネルＰＮＬは、マトリクス状に配置された複数の画素からなる表示部ＤＹＰと、表示部ＤＹＰの周囲に配置された走査線駆動回路ＹＤと信号線駆動回路ＸＤと、を備えている。そして、回路基板６０は、表示装置の表示動作を制御すると共に、液晶表示パネルＰＮＬに設けられたセンサ回路（後述する）を制御する。即ち、回路基板６０は、外部信号源ＳＳから取得した映像信号を液晶表示パネルＰＮＬに出力する。また回路基板６０は、センサ回路を動作させる信号を供給するとともに、センサ回路から取得した出力信号を制御部６５へ出力する。
【００１４】
図２は、本実施の形態の表示装置の一断面を示す図である。  
本実施形態に係る表示装置１は、液晶表示パネルＰＮＬ、照明ユニット、フレーム４０、ベゼルカバー５０、回路基板６０、及び保護ガラスＰＧＬを備えている。
【００１５】
照明ユニットは、液晶表示パネルＰＮＬの背面側に配置される。フレーム４０は、液晶表示パネルＰＮＬと照明ユニットとを支持する。ベゼルカバー５０は、液晶表示パネルＰＮＬの表示部ＤＹＰを露出させるようにフレーム４０に取り付けられる。回路基板６０は、フレーム４０の背面側に配置される。保護ガラスＰＧＬは、ベゼルカバー５０上に接着剤７０により固定される。
【００１６】
液晶表示パネルＰＮＬは、アレイ基板１０と、アレイ基板１０と対向するように配置された対向基板２０と、アレイ基板１０と対向基板２０との間に挟持された液晶層ＬＱとを備えている。アレイ基板１０は液晶層ＬＱと反対側の主面に取り付けられた偏光板１０Ａを備えている。対向基板２０は液晶層ＬＱと反対側の主面に取り付けられた偏光板２０Ａを備えている。
【００１７】
照明ユニットは、図示しない光源、導光体３２、プリズムシート３４、拡散シート３６、及び反射シート３８を備えている。  
導光体３２は、光源から入射された光を液晶表示パネルＰＮＬ側に向けて出射する。プリズムシート３４および拡散シート３６は、液晶表示パネルＰＮＬと導光体３２との間に配置された光学シートである。反射シート３８は、液晶表示パネルＰＮＬとは反対側の導光体３２の主面と対向するように配置される。プリズムシート３４および拡散シート３６は、導光体３２から出射された光を集光および拡散する。
【００１８】
保護ガラスＰＧＬは、液晶表示パネルＰＮＬの表示部ＤＹＰを外部からの衝撃から保護している。なお、保護ガラスＰＧＬは、省略することも可能である。
【００１９】
続いて、図１に示す表示装置について詳細に説明する。
【００２０】
液晶表示パネルＰＮＬは、一対の電極基板であるアレイ基板１０および対向基板２０間に液晶層ＬＱを挟持した構造である。アレイ基板１０に設けられた画素電極ＰＥおよび対向基板２０に設けられた共通電極ＣＥから液晶層ＬＱに印加される液晶駆動電圧により液晶表示パネルＰＮＬの透過率が制御される。
【００２１】
アレイ基板１０では、複数の画素電極ＰＥが透明絶縁基板（不図示）上において略マトリクス状に配置される。また、複数のゲート線ＧＬが複数の画素電極ＰＥの行に沿って配置され、複数の信号線ＳＬが複数の画素電極ＰＥの列に沿って配置される。
【００２２】
各画素電極ＰＥおよび共通電極ＣＥは例えばＩＴＯ（Indium Tin Oxide）等の透明電極材料からなり、それぞれ配向膜ＡＬで覆われる。画素電極ＰＥおよび共通電極ＣＥは液晶層ＬＱの一部である画素領域と共に液晶画素ＰＸを構成する。
【００２３】
ゲート線ＧＬおよび信号線ＳＬの交差位置近傍には、複数の画素スイッチＳＷＰが配置される。各画素スイッチＳＷＰは、例えば薄膜トランジスタ（ＴＦＴ : Thin Film Transistor）であって、ゲートがゲート線ＧＬに接続され、ソース−ドレインパスが信号線ＳＬおよび画素電極ＰＥ間に接続され、対応ゲート線ＧＬを介して駆動されたときに対応信号線ＳＬおよび対応画素電極ＰＥ間で導通する。
【００２４】
更に、アレイ基板１０には、センサ回路１２が設けられ、このセンサ回路１２を駆動するためのカップリングパルス線ＣＰＬ、プリチャージゲート線ＰＧ、および、読み出しゲート線ＲＧが、複数の画素電極ＰＥの行に沿って配置される。  
なお、本実施形態では、信号線ＳＬは、センサ回路１２を駆動する信号を供給するプリチャージ線ＰＲＬ、および、読み出し線ＲＯＬとしても用いられる。この詳細の動作については後述する。
【００２５】
走査線駆動回路ＹＤは、複数のゲート線ＧＬに画素スイッチＳＷＰをオンする（ソース−ドレインパスを導通させる）ためのゲート電圧を供給して、ゲート線ＧＬを順次駆動する。また、走査線駆動回路ＹＤは、複数のカップリングパルス線ＣＰＬ、複数のプリチャージゲート線ＰＧおよび複数の読み出しゲート線ＲＧを所定のタイミングで駆動して、センサ回路１２を駆動させる。
【００２６】
信号線駆動回路ＸＤは、ソース−ドレインパスが導通した画素スイッチＳＷＰを介して、信号線ＳＬから画素電極ＰＥへ映像信号を供給する。
【００２７】
また、不図示の共通電極駆動回路は、共通電極ＣＥに共通電圧Ｖｃｏｍを供給する。共通電極駆動回路は、必要に応じて、共通電極ＣＥに供給する共通電圧Ｖｃｏｍの極性を反転させて、表示装置１の極性反転方式に対応するように液晶層ＬＱに印加される電圧の極性を反転させる。
【００２８】
回路基板６０は、マルチプレクサＭＵＸ、Ｄ／Ａ変換部ＤＡＣ、Ａ／Ｄ変換部ＡＤＣ、インタフェース部Ｉ／Ｆ、及びタイミングコントローラＴＣＯＮＴを備えている。
【００２９】
タイミングコントローラＴＣＯＮＴは、回路基板６０に搭載される各部の動作、走査線駆動回路ＹＤ、信号線駆動回路ＸＤ、共通電極駆動回路及びセンサ回路１２の動作を制御する。
【００３０】
外部信号源ＳＳからインタフェース部Ｉ／Ｆを介して取り込まれたデジタル映像信号は、Ｄ／Ａ変換部ＤＡＣによってアナログ信号に変換され、所定のタイミングでマルチプレクサＭＵＸにより信号線ＳＬに出力される。
【００３１】
センサ回路１２からの出力信号は、マルチプレクサＭＵＸにより所定のタイミングでＡ／Ｄ変換部ＡＤＣへ供給され、デジタル信号に変換されて、インタフェース部Ｉ／Ｆに供給される。インタフェース部Ｉ／Ｆは、受信したデジタル信号を制御部６５へ出力する。制御部６５は、受信したデジタル信号により座標計算を行なって、指先やペン先等が接触した座標位置を検出する。
【００３２】
図３は、本実施の形態におけるセンサ回路１２の等価回路を示す図である。  
センサ回路１２は、検知電極１２Ｅ、プリチャージ線ＰＲＬ、読み出し線ＲＯＬ、プリチャージゲート線ＰＧ、カップリングパルス線ＣＰＬ、読み出しゲート線ＲＧ、プリチャージスイッチＳＷＡ、カップリング容量Ｃ１、増幅用スイッチＳＷＢ、および、読み出し用スイッチＳＷＣを備えている。
【００３３】
検知電極１２Ｅは、接触体の有無による検知容量の変化を検出する。プリチャージ線ＰＲＬは、検知電極１２Ｅにプリチャージ電圧を供給する。読み出し線ＲＯＬは、検知電極１２Ｅの電圧を取り出す。プリチャージゲート線ＰＧ、カップリングパルス線ＣＰＬ、読み出しゲート線ＲＧは、センサ回路１２の動作を駆動するための信号を供給する。
【００３４】
プリチャージスイッチＳＷＡは、プリチャージ電圧を検知電極１２Ｅへ書き込み、かつ保持するためのスイッチである。カップリング容量Ｃ１は、検知電極１２Ｅに検知容量の変化による電圧差を生じさせる。増幅用スイッチＳＷＢは、検知電極１２Ｅに生じた電圧差を増幅するためのスイッチである。読み出し用スイッチＳＷＣは、増幅された電圧差を読み出し線ＲＯＬへ出力し、かつ保持するためのスイッチである。
【００３５】
プリチャージ線ＰＲＬ、および、読み出し線ＲＯＬは信号線ＳＬと共通の配線を用いている。なお、センサ回路１２は複数の画素ＰＸに対して１つ配置されるため、信号線ＳＬの一部が共用されることになる。
【００３６】
プリチャージスイッチＳＷＡは例えばｐ型の薄膜トランジスタであって、ゲート電極がプリチャージゲート線ＰＧと電気的に接続され（あるいは一体に構成され）、ソース電極がプリチャージ線ＰＲＬと電気的に接続され（あるいは一体に構成され）、ドレイン電極が検知電極１２Ｅと電気的に接続され（あるいは一体に構成され）ている。
【００３７】
増幅用スイッチＳＷＢは例えばｐ型の薄膜トランジスタであって、ゲート電極が検知電極１２Ｅと電気的に接続され（あるいは一体に構成され）、ソース電極がカップリングパルス線ＣＰＬと電気的に接続され（あるいは一体に構成され）、ドレイン電極が読み出し用スイッチＳＷＣのソース電極と電気的に接続され（あるいは一体に構成され）ている。
【００３８】
読み出し用スイッチＳＷＣは例えばｐ型の薄膜トランジスタであって、ゲート電極が読み出しゲート線ＲＧと電気的に接続され（あるいは一体に構成され）、ソース電極が増幅用スイッチＳＷＢのドレイン電極と電気的に接続され（あるいは一体に構成され）、ドレイン電極が読み出し線ＲＯＬと電気的に接続され（あるいは一体に構成され）ている。
【００３９】
図４は、本実施形態に係る表示装置１の駆動方法の一例を説明するためのタイミングチャートである。
【００４０】
プリチャージゲート線駆動波形（プリチャージゲート信号波形）は、プリチャージゲート線ＰＧに印加され、プリチャージ用スイッチＳＷＡのゲ−ト電極端子に入力される。この結果、プリチャージパルスがオンレベル（ローレベル）のタイミングでプリチャージ線ＰＲＬからプリチャージ電圧Ｖｐｒｃがプリチャージ用スイッチＳＷＡを通じて検知電極１２Ｅに書き込まれる。
【００４１】
カップリングパルス線駆動波形は、カップリングパルス線ＣＰＬに印加され、カップリング容量Ｃ１を介して接触体の有無により検知電極１２Ｅの電位を変動させる。検知電極電位波形は検知電極１２Ｅの電位変動を示したものであり、検知電極電位(指なし)と、検知電極電位(指あり)との間に電圧差を生じさせることができる。
【００４２】
増幅用スイッチＳＷＢのゲート−ソース（ＧＳ）間電圧波形は検知電極１２Ｅで生じた電圧差が増幅用スイッチＳＷＢの動作点の差に反映されることを示している。ゲート−ソース（ＧＳ）間電圧(指なし)とゲート−ソース（ＧＳ）間電圧(指あり)とで電圧差が生じる。読み出しゲート線駆動波形は、読み出しゲート線ＲＧに印加され、読み出し用スイッチＳＷＣのゲ−ト電極端子に入力される。
【００４３】
この結果、読み出しゲート線ＲＧに印加されたパルスがオンレベルのタイミングでカップリングパルスの変動後の電位が増幅用スイッチＳＷＢ、および読み出し用スイッチＳＷＣを介して読み出し線ＲＯＬに出力される。読出し線ＲＯＬに出力される電圧波形はこの電圧変動を示したものであり、出力電圧(指あり)と出力電圧(指なし)との間には電圧差が生じる。
【００４４】
センサ回路１２を駆動する場合、まず、タイミングコントローラＴＣＯＮは走査線駆動回路ＹＤを制御して、プリチャージゲート線ＰＧに印加する電圧をロー（Ｌ）レベルにしてプリチャージスイッチＳＷＡをオンさせる。タイミングコントローラＴＣＯＮは信号線駆動回路ＸＤを制御してプリチャージ線ＰＲＬにプリチャージ電圧を印加して、スイッチＳＷＡを介して検知電極１２Ｅにプリチャージ電圧を印加する。
【００４５】
次に、タイミングコントローラＴＣＯＮは、プリチャージスイッチＳＷＡをオフさせた後、走査線駆動回路ＹＤを制御して、カップリングパルス線ＣＰＬをハイ（Ｈ）レベルとする。カップリングパルスがローレベルからハイレベルへ変化すると、カップリング容量Ｃ１により検知電極１２Ｅの電位に電圧が重畳される。このとき、検知電極１２Ｅに重畳される電圧の大きさは、検知電極１２Ｅと接触体との間の容量によって異なる。
【００４６】
例えば、検知電極１２Ｅの上方の対向基板２０に指やペン先等が接触している場合には、検知電極１２Ｅと指との間に容量が生じる。検知電極１２Ｅの上方において指先やペン先等が接触している場合には、指先やペン先等が無い場合と比較して検知電極１２Ｅに重畳される電圧の大きさが小さくなる。
【００４７】
検知電極１２Ｅの電位に応じて、増幅用スイッチＳＷＢのオン抵抗が異なる。本実施形態では、検知電極１２Ｅの上方において指先やペン先等が接触している場合には増幅用スイッチＳＷＢのオン抵抗が低下し、検知電極１２Ｅの上方において指先やペン先等が接触していない場合には増幅用スイッチＳＷＢのオン抵抗が比較的高くなる。
【００４８】
次に、タイミングコントローラＴＣＯＮは走査線駆動回路ＹＤを制御して、読み出しゲート線ＲＧの電圧をローレベルとして読み出し用スイッチＳＷＣをオンさせる。検知電極１２Ｅの上方において指先やペン先等が接触している場合には、読み出し用スイッチＳＷＣがオンすると、増幅用スイッチＳＷＢおよび読み出し用スイッチＳＷＣを介してカップリングパルスが読み出し線ＲＯＬへ供給される方向に働く。
【００４９】
したがって、指先やペン先等が接触している場合には、読み出し線ＲＯＬの電位がカップリングパルス電位に向かって変化する。指先やペン先等が接触していない場合には、指先やペン先等が接触している場合よりも読み出し線ＲＯＬの電位の変化が小さくなる。
【００５０】
そこで、読み出しゲート線ＰＧがオンしてからの出力期間Ｔｒｅａｄ経過時での出力電圧(指あり)と出力電圧(指なし)との出力電圧差を検出することにより指先やペン先等が接触している位置を検出することが可能となる。
【００５１】
図５は、本実施の形態の表示装置における従来の表示動作とセンサ動作との時分割駆動方法を示す図である。
【００５２】
実施の形態に係る表示装置１では、１６行の画素ＰＸに表示信号を保持させるごとに対応するセンサ回路１２から検知信号を読み出す。図５では、表示動作期間の最後で（Ｎ−１）行目の表示信号を書き込んだ後、センサ動作期間において検知信号が読み出される。次の表示動作期間においてＮ行目〜（Ｎ＋１５）行目の表示信号を書き込み、センサ動作期間において対応するセンサ回路１２から検知信号が読み出される。そして、続く表示動作期間において、（Ｎ＋１６）行目〜（Ｎ＋３１）行目の表示信号の書込みが実行される。
【００５３】
図６は、本実施の形態の表示装置における従来の表示動作時とセンサ動作時の信号線ＳＬの電圧を示す図である。
【００５４】
Ｎ行目の表示信号の書き込みが実行される前はセンサ回路１２からの検知信号の読み出し動作が実行されているが、センサ動作期間においては、信号線ＳＬにはセンサ回路１２が動作するために必要な電圧（プリチャージ電圧）、あるいはセンサ回路１２から読み出された検知信号に対応する電圧（読み出し電圧）が書きこまれている。センサ回路１２の動作に必要な電圧、あるいはセンサ回路１２から読み出された検知信号に対応する電圧は、通常の表示動作に用いられる電圧範囲（Ａ１〜Ａ２）には含まれない、小さい値の電圧である。なお、Ｎ，Ｎ＋２，Ｎ＋４・・・行目の電圧と、Ｎ＋１，Ｎ＋３・・・行目の電圧とが異なっているのは、上述の極性反転方式に対応した交流駆動を行っているためである。
【００５５】
従って、表示動作期間が開始された最初の行（Ｎ行）の表示信号の書き込み開始時には、他の行の表示信号の書き込み時とは信号線ＳＬの電圧が異なる。そのため、表示動作期間が開始された最初の行（Ｎ行）の表示信号の書き込みでは、書込み後の到達電圧に差（ΔＡ）が生じてしまう。到達電圧の差は、液晶の階調の差となって視認される。センサ回路１２は１６行ごとに動作するため、階調の異なる表示の行が１６行ごとに現れ、これがスジ状のムラとして視認される。
【００５６】
図７は、本実施の形態の表示装置における表示動作とセンサ動作との時分割駆動方法を示す図である。
【００５７】
実施の形態に係る表示装置１では、センサ動作期間後の最初のＮ行目の表示信号を書き込む前に、予備書き込み動作期間を設けている。この予備書き込み動作期間では、信号線ＳＬに対して、通常の表示に用いられる範囲内（Ａ１〜Ａ２）の電圧を書き込む。
【００５８】
図８は、本実施の形態の表示装置における表示動作時とセンサ動作時の信号線ＳＬの電圧を示す図である。
【００５９】
Ｎ行目の表示信号の書き込みが実行される前は上述の予備書き込み動作が実行されている。予備書き込み動作期間においては、信号線ＳＬには通常の表示に用いられる範囲内（Ａ１〜Ａ２）の電圧Ａ３が書き込まれる。従って、Ｎ行目の書き込み前の信号線ＳＬの電圧を他の行の書き込み前の状態と同様に、通常の表示に用いられる範囲内の電圧とすることができる。その結果、上述の階調の差が解消され、スジ状のムラが視認されず、表示品位の劣化を防ぐことが出来る。
【００６０】
なお、予備書き込み動作期間においては、通常の表示に用いられる範囲内の電圧Ａ３は信号線ＳＬに書き込まれるが、画素ＰＸには書き込まれない。予備書込みは、信号線ＳＬの電位を表示に使用する電圧範囲内に収めるための書込みである。
【００６１】
[本実施の形態のバリエーション１]  
図９は、本実施の形態のバリエーション１の表示装置における表示動作とセンサ動作との時分割駆動方法を示す図である。
【００６２】
実施の形態のバリエーション１に係る表示装置１では、センサ動作期間後の最初のＮ行目の表示信号を書き込む前に、予備書き込み動作期間を設けている。この予備書き込み動作期間では、信号線ＳＬに対して、前回の表示動作期間での最後の（Ｎ−１）行目の表示に用いられた電圧を書き込む。
【００６３】
図１０は、本実施の形態のバリエーション１の表示装置における表示動作時とセンサ動作時の信号線ＳＬの電圧を示す図である。
【００６４】
Ｎ行目の表示信号の書き込みが実行される前は上述の予備書き込み動作が実行されている。予備書き込み動作期間においては、信号線ＳＬには前回の表示動作期間での最後の（Ｎ−１）行目の表示に用いられた電圧Ａ４が書き込まれる。従って、Ｎ行目の書き込み前の信号線ＳＬの電圧を他の行の書き込み前の状態と同様に、通常の表示に用いられる範囲内の電圧とすることができる。その結果、上述の階調の差が解消され、スジ状のムラが視認されず、表示品位の劣化を防ぐことが出来る。
【００６５】
なお、前回の表示動作期間での最後の（Ｎ−１）行目の表示に用いられた電圧Ａ４は、回路基板６０内にバッファメモリ（不図示）を設けて保存し、この保存された値を使用するようにしても良い。
【００６６】
なお、予備書き込み動作期間においては、（Ｎ−１）行目の表示に用いられる範囲内の電圧Ａ４は信号線ＳＬに書き込まれるが、画素ＰＸには書き込まれない。予備書込みは、信号線ＳＬの電位を表示に使用する電圧範囲内に収めるための書込みである。
【００６７】
[本実施の形態のバリエーション２]  
図１１は、本実施の形態のバリエーション２の表示装置における表示動作とセンサ動作との時分割駆動方法を示す図である。
【００６８】
実施の形態のバリエーション２に係る表示装置１では、センサ動作期間後の最初のＮ行目の表示信号を書き込む前に、予備書き込み動作期間を設けている。この予備書き込み動作期間では、信号線ＳＬに対して、前回の表示動作期間での最後の（Ｎ−１）行目の表示に用いられた電圧を書き込む。
【００６９】
この際、予備書き込みは信号線ＳＬの電位を表示に使用する電圧範囲内に収めるための書き込みであるので、予備書き込みに要する時間は通常の表示の書き込みに要する時間よりも短くしてもよい。表示動作とセンサ動作に割り当てられる時間が、予備書き込みを行わない場合と比べて短くなる場合には、予備書き込みに要する時間を短くすることで、表示動作とセンサ動作の時間の減少を最小限にすることが出来る。
【００７０】
[本実施の形態のその他のバリエーション]  
上述の各実施の形態は、種々のバリエーションの形態として構成することができる。
【００７１】
（１）予備書き込み動作期間で使用する電圧は、前回の表示動作期間での最後の（Ｎ−１）行目の表示に用いられた電圧に限られず、過去の表示動作期間での任意行目の表示に用いられた電圧であっても良い。また今回の表示動作期間での最初のＮ行目の表示に用いられる電圧であっても良い。
【００７２】
（２）上記（１）のバリエーションにおいても、予備書き込みに要する時間を通常の表示の書き込みに要する時間よりも短くしてもよい。
【００７３】
（３）上述の各実施の形態においては、１６行ごとにセンサが動作する場合を挙げたが、Ｍ（１〜最大行数のうちの任意の数）行ごとにセンサが動作する場合においても、有効であることは言うまでもない。
【００７４】
（４）上記各実施形態に係る表示装置１は、液晶表示装置であったが、本発明の表示装置１は液晶表示装置に限定されない。例えば、本発明の表示装置１は有機ＥＬ（Electroluminescence）表示装置又は無機ＥＬ表示装置であってもよい。
【００７５】
（５）上記各実施形態に係る表示装置１は、ＴＮ(Twisted Nematic)モード、ＩＰＳモード、ＯＣＢ(Optically Compensated Bend)モード等の表示モードを採用する液晶表示装置であってもよい。
【００７６】
（６）上記各実施形態に係る表示装置は、カラー表示タイプ、白黒表示タイプの表示装置にも適用可能である。
【００７７】
（７）センサ回路１２は、読み出し用スイッチＳＷＣおよび読み出しゲート線ＲＧを省略してもよい。その場合には、増幅用スイッチＳＷＢのドレイン電極と読み出し線ＲＯＬとが電気的に接続される。
【００７８】
（８）カップリングパルスはゲート線ＧＬから供給しなくても良く、例えば信号線ＳＬと並行した配線を追加してカップリングパルス線としても良い。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８０】
（９）なお、タイミングコントローラＴＣＯＮは、回路基板６０に設けられる態様に限られず、外部に設けられても良く、ＴＦＴ基板上に設けられても良い。
【００８１】
（１０）増幅用スイッチＳＷＢは、実施の形態に限られず増幅器（アンプ）を用いて構成しても良い。
【符号の説明】
【００８２】
ＤＹＰ…表示部、ＰＮＬ…液晶表示パネル、ＬＱ…液晶層、ＹＤ…走査線駆動回路、ＸＤ…信号線駆動回路、１０…アレイ基板、１２…センサ回路、１２Ｅ…検知電極、２０…対向基板、ＰＸ…表示画素、ＰＥ…画素電極、ＳＷＰ…画素スイッチ、ＣＥ…共通電極、ＧＬ…走査線、ＳＬ…信号線、ＰＧ…プリチャージゲート線、ＲＧ…読み出しゲート線、ＣＰＬ…カップリングパルス線、ＲＯＬ…読み出し線、ＰＲＬ…プリチャージ線、ＳＷＡ…プリチャージスイッチ、Ｃ１…カップリング容量、ＳＷＢ…増幅用スイッチ、ＳＷＣ…読み出し用スイッチ、ＴＣＯＮ…タイミングコントローラ。
【図１】
2013130729.tif 000003
【図２】
2013130729.tif 000004
【図３】
2013130729.tif 000005
【図４】
2013130729.tif 000006
【図５】
2013130729.tif 000007
【図６】
2013130729.tif 000008
【図７】
2013130729.tif 000009
【図８】
2013130729.tif 000010
【図９】
2013130729.tif 000011
【図１０】
2013130729.tif 000012
【図１１】
2013130729.tif 000013